(57)【要約】【課題】摂取したカロリーが分かる生体情報測定装置と、家族の最適な食事メニューを作成することのできる食事メニュー作成システムを提供する。【解決手段】被検者の血糖値を測定する血糖値測定手段２１を備えた生体情報測定装置であって、血糖値測定手段２１が測定する血糖値の経時変化から被検者が摂取した摂取カロリーを演算制御装置３０が推定し、この推定して摂取カロリーを表示部２０に表示する。【選択図】　図３
2004024721.tif 000002
【特許請求の範囲】
【請求項１】
被検者の血糖値を測定する血糖値測定手段を備えた生体情報測定装置であって、
前記血糖値測定手段が測定する血糖値の経時変化から被検者が摂取した摂取カロリーを推定して告知することを特徴とする生態情報測定装置。
【請求項２】
前記摂取カロリーの推定は、前記血糖値の経時変化と基準データとを比較することを特徴とする請求項１に記載の生態情報測定装置。
【請求項３】
被検者の行動を測定する行動測定手段と、
この行動測定手段が測定した被検者の行動に基づいて被検者の消費カロリーを求める消費カロリー演算手段と、
この消費カロリー演算手段が求めた消費カロリーと前記摂取カロリーとからカロリーの過不足を求める過不足演算手段と、
この過不足演算手段が求めた過不足カロリーを表示する表示手段とを備えていることを特徴とする請求項１または請求項２に記載の生体情報測定装置。
【請求項４】
前記過不足カロリーに基づいて被検者に最適な食事メニューと運動メニューのうち少なくともいずれか一方を表示することを特徴とする請求項３に記載の生体情報測定装置。
【請求項５】
家族の各一員毎に生態情報を測定する請求項１に記載の複数の生体情報測定装置と、
各生体情報測定装置が推定した各一員毎の摂取カロリーのデータをそれぞれ送信する複数の送信手段と、
これら送信手段から送信されるデータを受信する受信手段と、
この受信手段が受信したデータを集計するとともにこの集計したデータに基づいてその家族の最適な食事メニューを作成するメニュー作成手段と、
このメニュー作成手段が作成した食事メニューを表示する表示手段とを備えていることを特徴とする食事メニュー作成システム。
【発明の詳細な説明】
【０００１】
【発明の属する技術分野】
この発明は、血糖値測定手段を備えた生体情報測定装置と、この生体情報測定装置を使用して家族の最適な食事メニューを作成する食事メニュー作成システムとに関する。
【０００２】
【従来の技術】
従来から、血糖値を測定する血糖値測定装置が知られている。かかる血糖値測定装置は、例えば２つの電極を皮膚に当接してその２つの電極間に電流を流してその電極間に流れる電流値から血糖値を測定するものである。
【０００３】
【発明が解決しようとする課題】
このような血糖値測定装置は、血糖値を測定してその血糖値を表示部に表示するだけであるから、食事によって摂取したカロリーが分からなかった。
【０００４】
この発明の目的は、摂取したカロリーが分かる生体情報測定装置と、家族の最適な食事メニューを作成することのできる食事メニュー作成システムを提供することにある。
【０００５】
【課題を解決するための手段】
上記目的を達成するため、請求項１の発明は、被検者の血糖値を測定する血糖値測定手段を備えた生体情報測定装置であって、
前記血糖値測定手段が測定する血糖値の経時変化から被検者が摂取した摂取カロリーを推定して告知することを特徴とする。
【０００６】
また、家族の各一員毎に生態情報を測定する請求項１に記載の複数の生体情報測定装置と、
各生体情報測定装置が推定した各一員毎の摂取カロリーのデータをそれぞれ送信する複数の送信手段と、
これら送信手段から送信されるデータを受信する受信手段と、
この受信手段が受信したデータを集計するとともにこの集計したデータに基づいてその家族の最適な食事メニューを作成するメニュー作成手段と、
このメニュー作成手段が作成した食事メニューを表示する表示手段とを備えていることを特徴とする。
【０００７】
【実施の形態】
以下、この発明に係る生体情報測定装置の実施形態を図面に基づいて説明する。
【０００８】
図１および図２において、１０は腕時計式の生体情報測定装置であり、この生体情報測定装置１０は、本体１１と、この本体１１を腕に装着させるリストバンド１２とを備えている。本体１１の裏面には互いに所定距離離間した２つの電極１３，１４が設けられており、本体１１の表面（上面）１１Ａの一端には開閉可能な蓋１５が装着されている。
【０００９】
本体１１の表面１１Ａには、本体１１に内蔵された時計２２（図３参照）の時刻を表示する表示器１６と、推定した摂取カロリーを表示する表示器（告知手段：表示部）１７と、点滅して警告表示する警告表示器１８と、操作部１９とが設けられている。操作部１９には、各種の操作を行う操作スイッチＳ１〜Ｓｎが設けられている。表示器１６には、内蔵された時計２２の時刻が表示されるので、通常腕時計として使用することができる。
【００１０】
蓋１５の裏面には液晶からなる表示部（告知手段：表示手段）２０が設けられており、この表示部２０は食事メニューや運動メニューが表示される他に測定した測定データ（血糖値）を測定グラフにして表示するようになっている。
【００１１】
図３は、生体情報測定装置１０の制御系の構成を示したブロック図である。図３において、２１は電極１３，１４間に電流を流してその電極１３，１４間に流れる電流値から血糖値を測定する血糖値測定手段であり、この血糖値測定手段２１は特開平１１−３４２１２３号公報や特表平１１−５０５４５２号公報に記載されているものと同一であるので、その構成の説明は省略する。２２は内蔵された時計（タイマ）、２３は血糖値測定手段２１によって測定された測定データを記憶するメモリ（第１メモリ）、２４はメモリ２３に記憶された測定データを転送する通信手段（出力手段）である。２５は血糖値の経時変化を示す個人用基準データや標準データを記憶するメモリ（第２メモリ）である。２６は歩数計（行動測定手段）である。
【００１２】
３０はＣＰＵ等から構成されている演算制御装置であり、この演算制御装置３０は、操作部１９の操作スイッチＳ１〜Ｓｎの操作などに基づいて血糖値測定手段２１，表示器１６〜１８，通信手段２４などを制御するようになっている。また、演算制御装置３０は、メモリ２３に記憶されたデータから摂取カロリーを推定したり、歩数計２６から消費カロリーを求めたり、その推定した摂取カロリーと消費カロリーとから最適な運動メニューや食事メニューなどを求めて表示部２０に表示させたりするようになっている。すなわち、演算制御装置３０は摂取カロリーを推定する摂取カロリー推定手段と、消費カロリーを求める消費カロリー演算手段と、カロリーの過不足を求める過不足演算手段としての機能を有している。
【００１３】
そして、制御装置３０と血糖値測定手段２１とメモリ２２，２５と通信手段２４と歩数計２６などは本体１１内に設けられている。
［動　作］
次に、上記のように構成される生体情報測定装置１０の動作について説明する。
【００１４】
装着者（被検者）の個人用の基準データ（個人用基準データ）をメモリ２３に記憶させるには、予め定めたカロリーを有する食事をとってもらい、一定時間経過毎に血糖値を測定してメモリ２３に記憶させていく。そして、摂取するカロリーを変えてこの測定を数回繰り返し、図４に示すように、摂取したカロリーに対する血糖値の経時変化を示すグラフをメモリ２３に記憶させていく。なお、測定は１日に３回行ってもよいが、１日一回の測定で数日間に亘って行ってもよい。
【００１５】
この個人用基準データの測定は、先ず、所定のカロリーを有する食事をした後、
リストバンド１２によって本体１１を腕に装着する。この装着により本体１１の裏面に設けられた電極１３，１４は腕の皮膚に接触することになる。そして、蓋１５を開けて、操作部１９のスイッチＳを操作して個人用基準データ作成モードを設定するとともに摂取カロリーを入力し、操作部１９のスタートスイッチを押して蓋１５を閉じる。
【００１６】
操作部１９のスタートスイッチが押されると、制御装置３０は一定時間経過毎に血糖値測定手段２１を動作させて、電極１３，１４間に電流を流して血糖値の測定を行う。この測定によって得られた血糖値（測定値）からグラフが作成されてメモリ２３に記憶されていくとともに、その測定結果のグラフが表示部２０に表示される。
【００１７】
この測定を数回行って、図４に示すように各グラフ（基準データ：テーブル）を作成してメモリ２３に記憶させる。
【００１８】
基準データの作成が終了したら、操作部１９の登録キーを操作してその基準データをメモリ２５に登録させる。そして、次の日の朝食から測定を開始する。この測定は、朝食後に操作部１９を操作して測定モードを設定するとともにスタートスイッチを押す。すると、制御装置３０は一定時間経過毎に血糖値測定手段２１を動作させて、電極１３，１４間に電流を流して血糖値の測定を行う。この測定によって得られて血糖値（測定値）はメモリ２３に記憶されるとともに、その測定値は表示部２０に表示される。
【００１９】
制御装置３０は、メモリ２３に記憶された血糖値のデータと、メモリ２５に記憶された基準データとを比較して摂取カロリーを推定する。例えば、測定した血糖値のデータが図４に示す破線の場合、７００Ｋｃａｌと１０００Ｋｃａｌとの間であるのから、摂取したカロリーは８５０Ｋｃａｌと推定する。この推定した摂取カロリーである８５０Ｋｃａｌは表示部１７に表示されるとともにメモリ２３に記憶されていく。このように、表示部１７に推定した摂取カロリーが表示されるので、どのくらい食べ過ぎか、どのくらい食事の量が少なすぎるかが分かり、健康管理上大変有益である。
【００２０】
また、表示部２０には、過不足のカロリーが表示される。ここでは、例えば朝食は５００Ｋｃａｌ、昼食は１０００Ｋｃａｌ、夕食は８００Ｋｃａｌを標準にして、過不足を判断する。例えば、朝食で摂取したカロリーが８５０Ｋｃａｌであれば、３５０Ｋｃａｌオーバーしているので、「＋３５０Ｋｃａｌ」が表示部２０に表示される。また、不足している場合には「−×××Ｋｃａｌ」が表示部２０に表示される。
【００２１】
過不足が必要以上に大きい場合、例えば２００Ｋｃａｌ以上オーバーしている場合や少なすぎる場合には警告表示器１８を点滅表示させる。
【００２２】
歩数計２６が歩数を計数している場合には、演算制御装置３０は、その計数に基づいて運動により消費した消費カロリーを演算し、この消費カロリーを含めて過不足を判断する。例えば、運動による消費カロリーが１００Ｋｃａｌの場合、摂取カロリーが８５０Ｋｃａｌのときには表示部２０に過不足カロリーとして「＋２５０Ｋｃａｌ」が表示されるとともにメモリ２３に記憶されていく。また、表示部２０には推定した摂取カロリーと消費カロリーも表示する。この表示により、生活習慣を改善することができる。
【００２３】
摂取カロリーの推定は朝食と昼食の両食事において行う。そして、朝食および昼食で摂取した推定カロリーと、消費した消費カロリーとから夕食に必要なカロリーを求め、このカロリーに応じた食事メニューを表示部２０に表示する。このカロリー計算は、人が１日に必要とする標準カロリー（基礎代謝による消費カロリー＋生活に必要な消費カロリー）を基にして求める。ここでは、例えば２３００Ｋｃａｌとする。
【００２４】
いま、例えば朝食および昼食で摂取した推定カロリーの合計が２０００Ｋｃａｌであり、運動により消費したカロリーが３００Ｋｃａｌであった場合、夕食に基本の８００Ｋｃａｌを摂取すると２００Ｋｃａｌオーバーとなり、夕食に必要なカロリーは８００Ｋｃａｌ−２００Ｋｃａｌ＝６００Ｋｃａｌとなる。表示部２０には６００Ｋｃａｌ摂取することのできる最適なメニューが表示される。また、表示部２０には８００Ｋｃａｌの食事メニューも表示されるとともに、この食事メニューのとなりに２００Ｋｃａｌを消費する運動メニューが表示される。この運動メニューは例えばウオーキング３０分等として表示される。
【００２５】
消費カロリーの計算は、例えば５時までの歩数計２６の計数に基づいて行い、この５時になった時点で演算制御装置３０が表示部２０に食事メニューを表示部２０に表示させる。
【００２６】
また、推定カロリーの合計が２３００Ｋｃａｌ、運動により消費したカロリーが３００Ｋｃａｌであった場合、夕食に基本の８００Ｋｃａｌを摂取すると、５００Ｋｃａｌオーバーとなり、夕食に必要なカロリーは３００Ｋｃａｌとなってしまうが、表示部２０には５００Ｋｃａｌ摂取することのできるメニューが表示される。これは、夕食の摂取カロリーが極端に少なすぎるとかえって健康上好ましくないためであり、必要最小限のカロリーが摂取できる食事メニューが表示するようになっている。
【００２７】
夕食で５００Ｋｃａｌ摂取すると、１日に必要な標準カロリー２３００Ｋｃａｌ＋運動で消費したカロリー３００Ｋｃａｌより２００Ｋｃａｌオーバーとなるので、２００Ｋｃａｌを消費する運動メニューが表示部２０に表示される。
【００２８】
摂取カロリーのオーバーに拘わらず好きな食事がしたい場合には、操作部１９の操作により食事メニューの一覧表を表示部２０に表示させ、その一覧表のなかから好きな食事メニューを選択する。この選択した食事メニューのカロリーと摂取した推定カロリーの合計とから２３００Ｋｃａｌ＋運動で消費した消費カロリーをオーバーするカロリーを求め、このオーバーしたカロリーを消費する運動メニューを表示部２０に表示する。
【００２９】
このように、表示部２０には最適な食事メニューと運動メニューが表示されるので、健康的な食事ができるとともに運動メニューの表示により自己の健康管理は大変し易いものとなる。
【００３０】
上記実施形態では、血糖値の測定を電極１３，１４間に電流を流して行っているが、これに限らず例えば特開平１１−３４２１２３号公報に示すように赤外光を用いて血糖値の測定を行ってもよい。
【００３１】
また、消費カロリーを歩数計２６の計数から求めているが、加速センサを用いて加速センサが検出する加速度の度合いから消費カロリーを演算してもよい。また、摂取カロリーの推定は作成した個人用基準データを用いて推定しているが、標準体重，標準身長の人の標準データを用いて推定してもよく、それらのどちらも選択して使用できるようにしてもよい。
［食事メニュー作成システム］
図５は食事メニュー作成システム１００を示したものであり、のシステム１００は、家族の各一員にそれぞれ持たせた複数の生体情報測定装置１０と、各一員が持っている携帯電話（通信手段）１０１〜１０４と、建物１０５に配置されたパーソナルコンピュータ１１０と、夕食のメニューを表示したりするディスプレイ１１１とを備えている。１１２はキーボードである。
【００３２】
パーソナルコンピュータ１１０は、携帯電話（通信手段）１０１〜１０４から送信されるデータを受信する図示しない受信手段（ホームサーバ）と、この受信手段が受信したデータを記憶する記憶手段（図示せず）と、この記憶手段が記憶したデータに基づいて家族の平均の過不足カロリー求める過不足カロリー演算手段（図示せず）と、この求めた平均の過不足カロリーから最適な夕食のメニューを作成するメニュー作成手段（図示せず）とを備えている。
［動　作］
次に、食事メニュー作成システム１００の動作について説明する。
【００３３】
先ず、家族の各一員は、上記と同様にしてリストバンド１２によって本体１１を腕に装着する。そして、朝食後に操作部１９を操作して測定モードを設定するとともにスタートスイッチを押す。すると、制御装置３０は一定時間経過毎に血糖値測定手段２１を動作させて、上記と同様にして血糖値を測定するとともにこの測定値から摂取カロリーを推定し、メモリ２３に記憶していく。また、制御装置３０は、歩数計２６の計数に基づいて運動により消費した消費カロリーを演算し、この消費カロリーを含めた過不足カロリーを求めてメモリ２３に記憶していく。
【００３４】
そして、所定時間になったら例えば午後５時になったら、生体情報測定装置１０によって得られた情報、すなわち朝食および昼食によって摂取した摂取カロリーと消費カロリーのデータと過不足カロリーのデータとをメモリ２３から読み出して携帯電話１０１〜１０４に例えばブルートウース（Ｂｌｕｅｔｏｏｔｈ）方式で転送し、各携帯電話１０１〜１０４からその情報を家庭１０５に配置したパーソナルコンピュータ１１０のホームサーバに転送する。
【００３５】
パーソナルコンピュータ１１０は、転送されてきた各情報を集計して家族の平均の過不足カロリー求める。例えば、父親が２００Ｋｃａｌ取り過ぎで、母親が２００Ｋｃａｌ少なく、二人の子どもが３００Ｋｃａｌづつ取りすぎていれば、１人当たりの平均の過不足カロリーは＋１５０Ｋｃａｌとなる。そして、パーソナルコンピュータ１１０は、夕食時に摂取する８００Ｋｃａｌを基準にして夕食に摂取するカロリーを計算する。ここでは、８００Ｋｃａｌ−１５０Ｋｃａｌ＝６５０Ｋｃａｌとなる。
【００３６】
パーソナルコンピュータ１１０は、６５０Ｋｃａｌを摂取することのできる最適な夕食の献立（食事メニュー）をディスプレイ１１１に表示する。
【００３７】
このように、ディスプレイ１１１に最適な夕食の献立が表示されるので、その献立を考える必要がなく、その献立を考える負担が軽減される。また、最適な夕食の献立により、健康的な食事ができることになる。
【００３８】
また、パーソナルコンピュータ１１０は、各個人毎の１日の過不足カロリーと消費カロリーとをディスプレイ１１１に表示する。これにより、家族は誰がカロリーの取り過ぎであり、運動不足であるかが分かり、生活習慣を改善することができ、健康管理に大変有用なものとなる。
【００３９】
【発明の効果】
以上説明したように、この発明によれば、摂取したカロリーが分かるので、どのくらい食べ過ぎか、どのくらい食事の量が少なすぎるかが分かり、健康管理上大変有益である。
【００４０】
また、家族の最適な夕食の食事メニューが表示されるので、健康的な食事ができ、献立を考える負担が軽減される。
【図面の簡単な説明】
【図１】この発明に係る生態情報測定装置を示した斜視図である。
【図２】図１に示す血糖値測定装置の本体の裏面を示した説明図である。
【図３】血糖値測定装置の制御系の構成を示したブロック図である。
【図４】血糖値の経時変化を示したグラフである。
【図５】食事メニュー作成システムの構成を示した概念図である。
【符号の説明】
１１　　　　　　本体
２０　　　　　　表示部
２１　　　　　　血糖値測定手段
３０　　　　　　演算制御装置
【図１】
2004024721.tif 000003
【図２】
2004024721.tif 000004
【図３】
2004024721.tif 000005
【図４】
2004024721.tif 000006
【図５】
2004024721.tif 000007